(57)【要約】【課題】デジタルカメラ等に搭載されるレンズバリヤ装置の簡素化、小型化し、耐衝撃性を高める。【解決手段】開口部１１ａを画定するベース１０、開口部を開放する開放位置と開口部を閉鎖する閉鎖位置の間を移動自在にベースに支持されたバリヤ羽根２０、バリヤ羽根を開閉駆動する駆動機構、バリヤ羽根を閉鎖位置又は開放位置に拘束する拘束機構を備え、駆動機構として、バリヤ羽根に直接連結されて開閉動作を行う駆動モータ３０を採用し、拘束機構として、バリヤ羽根が閉鎖位置又は開放位置にあるとき、バリヤ羽根の移動を拘束しかつバリヤ羽根を駆動モータにより移動させる前にその拘束を解除し得るロックピン４１を含む電磁アクチュエータ４０を採用する。これによれば、構造の簡素化、装置の小型化を達成しつつ、バリヤ羽根の勝手な移動を防止できる。【選択図】図２
2008292878.tif 000002
【特許請求の範囲】
【請求項１】
開口部を画定するベースと、前記開口部を開放する開放位置と前記開口部を閉鎖する閉鎖位置の間を移動自在に前記ベースに支持されたバリヤ羽根と、前記バリヤ羽根を開閉駆動する駆動機構と、前記バリヤ羽根を閉鎖位置又は開放位置に拘束する拘束機構と、を備えたレンズバリヤ装置であって、
前記駆動機構は、前記バリヤ羽根に直接連結されて開閉動作を行う駆動モータを含み、
前記拘束機構は、前記バリヤ羽根が閉鎖位置又は開放位置にあるとき、前記バリヤ羽根の移動を拘束しかつ前記バリヤ羽根を前記駆動モータにより移動させる前にその拘束を解除し得る電磁アクチュエータを含む、
ことを特徴とするレンズバリヤ装置。
【請求項２】
前記バリヤ羽根は、互いに協働して開閉動作を行う一対のバリヤ羽根からなり、
前記駆動モータは、所定の角度範囲を回動するロータと、前記ロータに一体的に設けられて前記一対のバリヤ羽根に係合して駆動力を及ぼす駆動ピンを含む、
ことを特徴とする請求項１記載のレンズバリヤ装置。
【請求項３】
前記バリヤ羽根は、その揺動軸に平行な方向に開けられた係合孔を有し、
前記電磁アクチュエータは、非通電時に突出して前記係合孔に係合しかつ通電時に没入して前記係合孔から離脱し得る出没自在なロックピンを含む、
ことを特徴とする請求項２記載のレンズバリヤ装置。
【請求項４】
前記駆動モータは、非通電状態において、前記バリヤ羽根を開放位置及び閉鎖位置に保持する磁気的付勢力を生じるように形成されている、
ことを特徴とする請求項１ないし３いずれかに記載のレンズバリヤ装置。
【請求項５】
前記駆動モータの回転角度位置を検出する検出センサを含み、
前記駆動モータは、所定の角度範囲を回動するロータと、前記ロータに一体的に設けられて前記バリヤ羽根に係合して駆動力を及ぼす駆動ピンと、前記ロータに一体的に設けられて前記検出センサにより検出される被検出片を含む、
ことを特徴とする請求項１ないし４いずれかに記載のレンズバリヤ装置。
【請求項６】
前記被検出片は、前記駆動ピンの伸長方向と反対側に伸長するように形成されている、
ことを特徴とする請求項５記載のレンズバリヤ装置。
【発明の詳細な説明】
【技術分野】
【０００１】
本発明は、カメラ等のレンズを保護するために用いられるレンズバリヤ装置に関し、特に、薄型のデジタルカメラ等に適用されるレンズバリヤ装置に関する。
【背景技術】
【０００２】
従来のレンズバリヤ装置としては、カメラの前方を覆う閉じ位置とカメラから外れた開放位置との間を移動する１つのバリヤ羽根と、このバリヤ羽根を揺動させて開閉動作を行わせるバリヤ駆動機構を備え、このバリヤ駆動機構として、バリヤ羽根に連結されるシャフト、捩りバネ、ギヤ列、ギヤ列保持部材、バリヤモータ、フォトインタラプタ、フォトインタラプタの検出光を遮光し得る遮光羽根等を採用したものが知られている（例えば、特許文献１参照）。
【０００３】
このレンズバリヤ装置においては、バリヤモータを一方向に回転させつつ、ギヤ列を介して捩りバネを一方向にチャージすることでバリヤ羽根を一方向に回転させ、一方、バリヤモータを他方向に回転させつつ、ギヤ列を介して捩りバネを他方向にチャージすることでバリヤ羽根を他方向に回転させるようになっている。
しかしながら、このレンズバリヤ装置においては、バリヤ駆動機構が複数の部品により構成されているため、構造が複雑である。また、バリヤモータは捩りバネの付勢力に打ち勝つ回転駆動力を発生させる必要があるため、消費電力が大きくなり、カメラ等に搭載された電池の寿命が短くなる虞がある。
また、バリヤ羽根が閉鎖位置（又は開放位置）にあるとき、捩りバネの付勢力が閉じ方向（又は開き方向）に作用するようになっているが、外部から衝撃力等が作用すると、バリヤ羽根は開放位置（又は閉鎖位置）に移動して、不使用にも拘わらずレンズを露出させる（又は使用中にも拘わらず覆うように移動してレンズ鏡筒に衝突する）虞がある。
【０００４】
【特許文献１】特開２００１−５０５０号公報
【発明の開示】
【発明が解決しようとする課題】
【０００５】
本発明は、上記の事情に鑑みて成されたものであり、その目的とするところは、構造の簡素化、部品点数の削減、小型化等を図りつつ、衝撃力等を受けても開放位置又は閉鎖位置に確実に保持することができ、消費電力を低減でき、開閉動作を素早く行うことができるレンズバリヤ装置を提供することにある。
【課題を解決するための手段】
【０００６】
本発明のレンズバリヤ装置は、開口部を画定するベースと、開口部を開放する開放位置と開口部を閉鎖する閉鎖位置の間を移動自在にベースに支持されたバリヤ羽根と、バリヤ羽根を開閉駆動する駆動機構と、バリヤ羽根を閉鎖位置又は開放位置に拘束する拘束機構を備えたレンズバリヤ装置であって、上記駆動機構は、バリヤ羽根に直接連結されて開閉動作を行う駆動モータを含み、上記拘束機構は、バリヤ羽根が閉鎖位置又は開放位置にあるとき、バリヤ羽根の移動を拘束しかつバリヤ羽根を駆動モータにより移動させる前にその拘束を解除し得る電磁アクチュエータを含む、ことを特徴としている。
この構成によれば、バリヤ羽根の開閉動作は駆動モータにより直接行われ、バリヤ羽根が開口部を閉鎖する閉鎖位置又は開放位置にあるとき、電磁アクチュエータがバリヤ羽根をその閉鎖位置又は開放位置に拘束して位置決めする。したがって、不使用時にバリヤ羽根が衝撃力等により勝手に移動して開口部を開放するのを防止することができ、又、使用時にバリヤ羽根が衝撃力等により勝手に移動して開口部を閉鎖するのを防止することができる。また、駆動機構としてバリヤ羽根を直接駆動し得る駆動モータを採用し、かつ、拘束機構としてバリヤ羽根を直接拘束し得る電磁アクチュエータを採用したことにより、部品点数を削減でき、構造の簡素化、装置の小型化等を達成することができる。
【０００７】
上記構成において、バリヤ羽根は、互いに協働して開閉動作を行う一対のバリヤ羽根からなり、駆動モータは、所定の角度範囲を回動するロータと、ロータに一体的に設けられて一対のバリヤ羽根に係合して駆動力を及ぼす駆動ピンを含む、構成を採用することができる。
この構成によれば、通電によりロータを回転させると、その駆動ピンが一対のバリヤ羽根を開閉駆動するため、開き動作及び閉じ動作を素早く行わせることができ、又、バリヤ羽根を一対のバリヤ羽根により形成することで、一つのバリヤ羽根を用いる場合に比べて揺動角度を狭くすることができ、装置の小型化を達成することができる。
【０００８】
上記構成において、バリヤ羽根は、その揺動軸に平行な方向に開けられた係合孔を有し、電磁アクチュエータは、非通電時に突出して係合孔に係合しかつ通電時に没入して係合孔から離脱し得る出没自在なロックピンを含む、構成を採用することができる。
この構成によれば、バリヤ羽根が閉鎖位置又は開放位置にあるとき、ロックピンが突出してバリヤ羽根の係合孔に係合するため、バリヤ羽根をその位置に容易に拘束することができる。また、駆動モータによりバリヤ羽根を（閉鎖位置から開放位置へ又は開放位置から閉鎖位置へ）移動させるときは、その移動に先立って、通電によりロックピンを後退させて係合孔から容易に離脱させることができる。さらに、ロックピンは非通電の状態で、バリヤ羽根を拘束することができるため、消費電力を低減でき、電池の寿命を長くすることができる。
【０００９】
上記構成において、駆動モータは、非通電状態において、バリヤ羽根を開放位置及び閉鎖位置に保持する磁気的付勢力を生じるように形成されている、構成を採用することができる。
この構成によれば、駆動モータは、非通電の状態で、磁気的付勢力（ディテントトルク）等により、バリヤ羽根を開放位置又は閉鎖位置に保持することができるため、消費電力を低減でき、電池の寿命を長くすることができる。
【００１０】
上記構成において、駆動モータの回転角度位置を検出する検出センサを含み、駆動モータは、所定の角度範囲を回動するロータと、ロータに一体的に設けられてバリヤ羽根に係合して駆動力を及ぼす駆動ピンと、ロータに一体的に設けられて検出センサにより検出される被検出片を含む、構成を採用することができる。
この構成によれば、検出センサによりロータの被検出片を検出することで、ロータの回転角度位置すなわちバリヤ羽根が閉鎖位置及び開放位置のいずれに位置するのかを検出することができる。ここでは、ロータに被検出片が設けられているため、他の連動する部材に設けられた場合に比べて、装置を小型化できると共に、寸法誤差又は組付け誤差が積算されない分だけ検出精度を高めることができる。
【００１１】
上記構成において、被検出片は、駆動ピンの伸長方向と反対側に伸長するように形成されている、構成を採用することができる。
この構成において、ロータに対して駆動ピン及び被検出片を一体的に設けることを前提に、被検出片が駆動ピンの反対側に突出するように形成されているため、検出センサ等を含めた部品の集約化が可能になり、装置をより小型化することができる。
【発明の効果】
【００１２】
上記構成をなすレンズバリヤ装置によれば、構造の簡素化、部品点数の削減、小型化等を達成しつつ、衝撃力等を受けても閉鎖位置又は開放位置に確実に保持することができ、消費電力を低減でき、開閉動作を素早く行うことができる、デジタルカメラ等に好適な小型のレンズバリヤ装置を得ることができる。
【発明を実施するための最良の形態】
【００１３】
以下、本発明の最良の実施形態について、添付図面を参照しつつ説明する。
図１ないし図１１は、本発明に係るレンズバリヤ装置の一実施形態を示すものであり、図１はこの装置がデジタルカメラに搭載された状態を示す斜視図、図２は装置の分解斜視図、図３は装置に含まれる駆動モータの斜視図、図４は装置に含まれる電磁アクチュエータの斜視図、図５は装置に含まれるバリヤ羽根が閉鎖位置にある状態を示す正面図及び背面図、図６はバリヤ羽根が閉鎖位置において拘束された状態を示す斜視図及び部分断面図、図７はバリヤ羽根が閉鎖位置において拘束を解除された状態を示す斜視図及び部分断面図、図８は装置に含まれるバリヤ羽根が開放位置にある状態を示す正面図及び背面図、図９はバリヤ羽根が開放位置において拘束を解除された状態を示す斜視図及び部分断面図、図１０はバリヤ羽根が開放位置において拘束された状態を示す斜視図及び部分断面図、図１１は装置の通電制御を示すタイムチャートである。
【００１４】
このレンズバリヤ装置Ｍは、図１に示すように、薄型のデジタルカメラ１に搭載されており、撮影窓１ａの後方（内部）でかつレンズ鏡筒（不図示）の前方（被写体側）に配置されている。
レンズバリヤ装置Ｍは、図１及び図２に示すように、開口部１１ａを画定するベース１０、開口部１１ａを開放する開放位置と開口部１１ａを閉鎖する閉鎖位置の間を移動自在にベース１０に支持されたバリヤ羽根２０、バリヤ羽根２０を開閉駆動する駆動機構としての駆動モータ３０、バリヤ羽根２０を閉鎖位置又は開放位置に拘束する拘束機構としての電磁アクチュエータ４０、バリヤ羽根２０の位置を検出する検出センサ５０等を備えている。
【００１５】
ベース１０は、図２に示すように、羽根ベース１１、羽根ベース１１に一体的に固定されるモータベース１２により形成されている。
羽根ベース１１は、図２に示すように、光を通す開口部１１ａ、バリヤ羽根２０を回動自在に支持する揺動軸としての２つの支軸１１ｂ，１１ｃ、後述するロックピン４１を出没自在に通す貫通孔１１ｄ、後述する駆動ピン３１ａを揺動自在に通す扇状の貫通孔１１ｅ等を備えている。
モータベース１２は、図２に示すように、駆動モータ３０を固定する固定部１２ａ、電磁アクチュエータ４０及び検出センサ５０を固定する固定部１２ｂ、駆動ピン３１ａを揺動自在に通す扇状の貫通孔１２ｃ等を備えている。
【００１６】
バリヤ羽根２０は、図２に示すように、互いに協働して開口部１１ａの開閉動作を行う一対のバリヤ羽根２１，２２により形成されている。
バリヤ羽根２１は、図２に示すように、支軸１１ｂを通す円孔２１ａ、駆動ピン３１ａを通す長孔２１ｂ、電磁アクチュエータ４０のロックピン４１を係合させるべくその揺動軸に平行な方向Ｌに貫通して開けられた係合孔２１ｃ等を備えている。
バリヤ羽根２２は、図２に示すように、支軸１１ｃを通す円孔２２ａ、駆動ピン３１ａを通す長孔２２ｂ、電磁アクチュエータ４０のロックピン４１を係合させるべくその揺動軸に平行な方向に貫通して開けられた係合孔２２ｃ等を備えている。
【００１７】
そして、一対のバリヤ羽根２１，２２は、ベース１０（羽根ベース１１）に対して揺動自在に支持されて、図５に示すように開口部１１ａを閉鎖する閉鎖位置と、図８に示すように開口部１１ａを開放する開放位置との間を揺動するようになっている。
このように、バリヤ羽根２０を一対のバリヤ羽根２１，２２により形成することで、一つのバリヤ羽根を採用する場合に比べて、開閉動作に要するそれぞれの揺動角度を狭くすることができ、装置を小型化することができる。
【００１８】
駆動モータ３０は、モータベース１２の固定部１２ａに固定されており、図２及び図３に示すように、所定方向Ｌに伸長する軸線回りに回動し得るロータ３１、ロータ３１の周りを囲む枠部材３２、枠部材３２に巻回された励磁用のコイル３３、コイル３３の外側において枠部材３２に嵌合された円筒状のヨーク３４、複数の鉄ピン３５等を備えている。
ロータ３１は、所定方向Ｌに軸線をもつ円柱状に形成されて、その外周にＮ極及びＳ極をもつマグネット（不図示）、径方向に突出すると共に所定方向Ｌに平行に伸長する駆動ピン３１ａ、駆動ピン３１ａの伸長方向と反対側に伸長する被検出片３１ｂを一体的に備えるように形成されている。
このように、被検出片３１ｂが駆動ピン３１ａの伸長方向と反対側に突出する（伸長する）ように形成されるため、検出センサ５０等を含めた部品の集約化が可能になり、装置をより小型化することができる。
【００１９】
枠部材３２は、モータベース１２の固定部１２ａに固定されており、コイル３３を巻回し得るように、鉄ピン３５を装着し得るように、又、ヨーク３４を外嵌させて固定し得るように形成されている。
複数の鉄ピン３５は、コイル３３に非通電の状態において、一対のバリヤ羽根２１，２２を開放位置と閉鎖位置とにそれぞれ保持する磁気的付勢力（ディテントトルク）を生じるように配置されている。
【００２０】
すなわち、ロータ３１は、枠部材３２により回動自在に支持されており、コイル３３を非通電の状態にした状態で磁気的付勢力により一方の回動端に保持され、コイル３３に対して一方向に通電すると一方向に所定角度だけ回転して他方の回転端に移動し、この他方の回転端においてコイル３３を非通電の状態にすると、磁気的付勢力により他方の回転端に保持され、コイル３３に対して他方向に通電すると他方向に所定角度だけ回転して元の一方の回転端に移動するようになっている。
このように、複数の鉄ピン３５を配置することで、コイル３３に通電することなく、一対のバリヤ羽根２１，２２を開放位置及び閉鎖位置にそれぞれ保持することができるため、消費電力を低減でき、電池の寿命を長くすることができる。
【００２１】
電磁アクチュエータ４０は、ソレノイド型のアクチュエータであり、図２及び図４に示すように、所定方向Ｌに伸長するロックピン４１、ロックピン４１を移動自在に支持する枠部材４２、枠部材４２の周りに巻回された励磁用のコイル４３、ロックピン４１の途中に一体的に固定された鍔部４４、鍔部４４と枠部材４２の間に圧縮した状態で配置されてロックピン４１を突出する向きに付勢するコイルバネ４５等を備えている。
【００２２】
ロックピン４１は、磁性材料を用いて、円形断面で所定の長さをなす棒状に形成されており、枠部材４２に対して所定方向Ｌに出没自在に支持されている。
枠部材４２は、モータベース１２の固定部１２ｂに固定されている。
そして、コイル４３が非通電のとき、ロックピン４１はコイルバネ４５の付勢力により突出（前進）して、羽根ベース１１の貫通孔１１ｄを通過して、バリヤ羽根２１の係合孔２１ｃ又はバリヤ羽根２２の係合孔２２ｃに入り込んで係合し得るようになっており、一方、コイル４３に通電したとき、ロックピン４１はコイルバネ４５の付勢力に抗して没入（後退）し、バリヤ羽根２１の係合孔２１ｃ又はバリヤ羽根２２の係合孔２２ｃから離脱し得るようになっている。
【００２３】
このように、一対のバリヤ羽根２１，２２が閉鎖位置又は開放位置にあるとき、ロックピン４１が突出してバリヤ羽根２１，２２の係合孔２１ｃ，２２ｃに係合するため、バリヤ羽根２１，２２をその位置に容易に拘束することができる。
また、駆動モータ３０によりバリヤ羽根２１，２２を閉鎖位置から開放位置へ向けて、又は、開放位置から閉鎖位置へ向けて移動させるときは、その移動に先立って、コイル４３に通電してロックピン４１を没入（後退）させて係合孔２１ｃ，２２ｃから容易に離脱させることができる。
さらに、ロックピン４１はコイル４３に非通電の状態で、バリヤ羽根２１，２２を拘束することができるため、消費電力を低減でき、電池の寿命を長くすることができる。
【００２４】
検出センサ５０は、発光素子と受光素子を含む透過型の光センサであり、モータベース１２の固定部１２ｂに固定されている。
そして、ロータ３１の被検出片３１ｂが、発光素子と受光素子の間に入り込んで検出光を遮る遮光の状態と、発光素子と受光素子の間から外れて検出光の通過を許容する通光の状態を生じさせ、これらの状態に基づき、一対のバリヤ羽根２１，２２が閉鎖位置にあるいか開放位置にあるかを検出する信号を発するようになっている。
【００２５】
このように、検出センサ５０によりロータ３１の被検出片３１ｂを直接検出することにより、ロータ３１の回転角度位置すなわちバリヤ羽根２１，２２が閉鎖位置にあるか又は開放位置にあるかを容易に検出することができ、又、他の連動する部材に設けられた場合に比べて、装置を小型化できると共に、寸法誤差又は組付け誤差が積算されない分だけ検出精度を高めることができる。
【００２６】
次に、このレンズバリヤ装置Ｍの動作について、図５ないし図１０の動作図及び図１１のタイムチャートを参照しつつ説明する。
先ず、デジタルカメラを使用しない状態においては、一対のバリヤ羽根２１，２２は、図５に示すように、開口部１１ａを閉鎖した閉鎖位置に位置している。このとき、一対のバリヤ羽根２１，２２は、駆動モータ３０の磁気的付勢力（ディテントトルク）によりその閉鎖位置に保持されて位置決めされている。
また、電磁アクチュエータ４０のロックピン４１が、図６に示すように、バリヤ羽根２１の係合孔２１ｃに突出して係合しており、バリヤ羽根２１は移動できないように拘束された状態にあり、又、バリヤ羽根２１と連動させる駆動ピン３１ａを介して、バリヤ羽根２２も移動できないように拘束された状態にある。
したがって、外部から衝撃力等を受けても、一対のバリヤ羽根２１，２２は勝手に移動して開口部１１ａを開放することはなく、内部に配置されたレンズを保護することができる。
【００２７】
次に、デジタルカメラを使用する際には、一対のバリヤ羽根２１，２２に開き動作を行わせる必要があるが、その開き動作に先立って、先ず、図１１中のＰ１点に示すように、電磁アクチュエータ４０のコイル４３が通電される。すると、ロックピン４１が、図７に示すように、コイルバネ４５の付勢力に抗して没入（後退）し、係合孔２１ｃから離脱する。
【００２８】
続いて、電磁アクチュエータ４０のコイル４３が通電された状態において、図１１中のＰ２点に示すように、駆動モータ３０のコイル３３が一方向に通電される。すると、図８に示すように、一対のバリヤ羽根２１，２２は、開き動作を行って、開口部１１ａを完全に開放する開放位置に移動する。
【００２９】
続いて、図１１中のＰ３点に示すように、電磁アクチュエータ４０のコイル４３が非通電にされると、図９に示すように、コイルバネ４５の付勢力に抗して没入（後退）した状態にあったロックピン４１が、図１０に示すように、コイルバネ４５の付勢力により突出（前進）して、バリヤ羽根２２の係合孔２２ｃに係合する。
これにより、バリヤ羽根２２は移動できないように拘束された状態になり、又、バリヤ羽根２２と連動させる駆動ピン３１ａを介して、バリヤ羽根２１も移動できないように拘束された状態になる。
したがって、外部から衝撃力等を受けても、一対のバリヤ羽根２１，２２は、勝手に移動して開口部１１ａを閉鎖することはなく開放位置に拘束されて、内部に配置されたレンズに向かう光の通過を許容する。
そして、一対のバリヤ羽根２１，２２が開口部１１ａを開放した状態において、適宜被写体の撮影が可能になる。
【００３０】
一方、撮影を終了してデジタルカメラを使用しない状態に戻す場合は、一対のバリヤ羽根２１，２２に閉じ動作を行わせる必要があるが、その閉じ動作に先立って、先ず、図１１中のＰ４点に示すように、電磁アクチュエータ４０のコイル４３が通電される。すると、ロックピン４１が、図９に示すように、コイルバネ４５の付勢力に抗して没入（後退）し、係合孔２２ｃから離脱する。
【００３１】
続いて、電磁アクチュエータ４０のコイル４３が通電された状態において、図１１中のＰ５点に示すように、駆動モータ３０のコイル３３が他方向に通電される。すると、図７に示すように、一対のバリヤ羽根２１，２２は、閉じ動作を行って、開口部１１ａを完全に閉鎖する閉鎖位置に移動する。
【００３２】
続いて、図１１中のＰ６点に示すように、電磁アクチュエータ４０のコイル４３が非通電にされると、図７に示すように、コイルバネ４５の付勢力に抗して没入（後退）した状態にあったロックピン４１が、図６に示すように、コイルバネ４５の付勢力により突出（前進）して、バリヤ羽根２１の係合孔２１ｃに係合する。
これにより、バリヤ羽根２１は移動できないように拘束された状態になり、又、バリヤ羽根２１と連動させる駆動ピン３１ａを介して、バリヤ羽根２２も移動できないように拘束された状態になる。
したがって、外部から衝撃力等を受けても、一対のバリヤ羽根２１，２２は、勝手に移動して開口部１１ａを開放することはなく閉鎖位置に拘束されて、内部に配置されたレンズを保護することができる。
【００３３】
尚、上記一連のバリヤ羽根２０の動作において、一対のバリヤ羽根２１，２２が開口部１１ａを開放する開放位置にあるときは、ロータ３１の被検出片３１ｂが、検出光の通過を許容する通光の状態から検出光を遮る遮光の状態になるため、検出センサ５０により開放状態にあることが検出される。
【００３４】
上記のように、このレンズバリヤ装置Ｍによれば、バリヤ羽根２０の開閉動作は駆動モータ３０により直接行われ、バリヤ羽根２０が開口部１１ａを閉鎖する閉鎖位置又は開放位置にあるとき、電磁アクチュエータ４０がバリヤ羽根２０をその閉鎖位置又は開放位置に拘束して位置決めするため、不使用時にバリヤ羽根２０が衝撃力等により勝手に移動して開口部１１ａを開放するのを防止でき、又、使用時にバリヤ羽根２０が衝撃力等により勝手に移動して開口部１１ａを閉鎖するのを防止きる。また、駆動機構としてバリヤ羽根２０を直接駆動し得る駆動モータ３０を採用し、かつ、拘束機構としてバリヤ羽根２０を直接拘束し得る電磁アクチュエータ４０を採用したことにより、部品点数を削減でき、構造の簡素化、装置の小型化等を達成できる。
さらに、駆動モータ３０には、鉄ピン３５が設けられているため、図１１に示すように、電磁アクチュエータ４０の通電時間に比べて駆動モータ３０の通電時間を短くすることができ、消費電力を低減することができる。
【００３５】
上記実施形態においては、駆動機構としてロータ３１を含む駆動モータ３０を採用した場合を示したが、これに限定されるものではなく、バリヤ羽根２０を直接開閉駆動するものであれば、その他の駆動モータを採用してもよい。
上記実施形態においては、拘束機構としてロックピン４１を含むソレノイド型の電磁アクチュエータ４０を採用した場合を示したが、これに限定されるものではなく、バリヤ羽根２０を直接拘束するものであれば、その他の電磁アクチュエータを採用してもよい。
上記実施形態においては、バリヤ羽根２０として、一対のバリヤ羽根２１，２２を採用した場合を示したが、これに限定されるものではなく、開口部１１ａを開閉し得るものであればその他のバリヤ羽根を採用してもよい。
【産業上の利用可能性】
【００３６】
以上述べたように、本発明のレンズバリヤ装置は、構造の簡素化、部品点数の削減、小型化等を達成しつつ、衝撃力等を受けても開放位置又は閉鎖位置に確実に保持することができ、消費電力を低減でき、開閉動作を素早く行うことができるため、小型のデジタルカメラ等に適用できるのは勿論のこと、銀塩フィルム式のカメラ、その他の衝撃等を伴う虞のあるレンズ鏡胴を備えた光学機器においても有用である。
【図面の簡単な説明】
【００３７】
【図１】本発明に係るレンズバリヤ装置がデジタルカメラに搭載された状態を示す斜視図である。
【図２】図１に示すレンズバリヤ装置の分解斜視図である。
【図３】図１に示すレンズバリヤ装置に含まれる駆動モータ及び検出センサを示す斜視図である。
【図４】図１に示すレンズバリヤ装置に含まれる電磁アクチュエータを示す斜視図である。
【図５】図１に示すレンズバリヤ装置に含まれるバリヤ羽根が、閉鎖位置にある状態を示すものであり、（ａ）装置の正面図、（ｂ）は装置の背面図である。
【図６】図１に示すレンズバリヤ装置に含まれるバリヤ羽根が、閉鎖位置において拘束された状態を示すものであり、（ａ）はその部分斜視図、（ｂ）はその部分断面図である。
【図７】図１に示すレンズバリヤ装置に含まれるバリヤ羽根が、閉鎖位置において拘束が解除された状態を示すものであり、（ａ）はその斜視図、（ｂ）はその部分断面図である。
【図８】図１に示すレンズバリヤ装置に含まれるバリヤ羽根が、開放位置にある状態を示すものであり、（ａ）装置の正面図、（ｂ）は装置の背面図である。
【図９】図１に示すレンズバリヤ装置に含まれるバリヤ羽根が、開放位置において拘束が解除された状態を示すものであり、（ａ）はその部分斜視図、（ｂ）はその部分断面図である。
【図１０】図１に示すレンズバリヤ装置に含まれるバリヤ羽根が、開放位置において拘束された状態を示すものであり、（ａ）はその斜視図、（ｂ）はその部分断面図である。
【図１１】レンズバリヤ装置の通電制御を示すタイムチャートである。
【符号の説明】
【００３８】
１  デジタルカメラ
１ａ  撮影窓
Ｍ  レンズバリヤ装置
Ｌ  所定方向（揺動軸に平行な方向）
１０  ベース
１１  羽根ベース
１１ａ  開口部
１１ｂ，１１ｃ  支軸（揺動軸）
１１ｄ，１１ｅ  貫通孔
１２  モータベース
１２ａ，１２ｂ  固定部
１２ｃ  貫通孔
２０  バリヤ羽根
２１，２２  一対のバリヤ羽根
２１ａ，２２ａ  円孔
２１ｂ，２２ｂ  長孔
２１ｃ，２２ｃ  係合孔
３０  駆動モータ（駆動機構）
３１  ロータ
３１ａ  駆動ピン
３１ｂ  被検出片
３２  枠部材
３３  コイル
３４  ヨーク
３５  鉄ピン
４０  電磁アクチュエータ（拘束機構）
４１  ロックピン
４２  枠部材
４３  コイル
４４  鍔部
４５  コイルバネ
５０  検出センサ
【図１】
2008292878.tif 000003
【図２】
2008292878.tif 000004
【図３】
2008292878.tif 000005
【図４】
2008292878.tif 000006
【図５】
2008292878.tif 000007
【図６】
2008292878.tif 000008
【図７】
2008292878.tif 000009
【図８】
2008292878.tif 000010
【図９】
2008292878.tif 000011
【図１０】
2008292878.tif 000012
【図１１】
2008292878.tif 000013